(57)【要約】従来の特注歯科矯正器具はアップライティング機能を備えていなかった。【解決手段】本発明ではワイヤで直列接続された１乃至７番特注リンガルブラケットを備えており、各々の特注リンガルブラケットはベースと、ベースに連結されているブラケット本体部とを備えたアップライティング機能付き特注歯科矯正器具であって、上記１乃至７番の特注リンガルブラケットにおいて、少なくとも二つの特注リンガルブラケットのブラケット本体部の下側には貫通孔を有する牽引フックが設けられており、上記貫通孔はアップライティングワイヤに直列接続されている。【選択図】図１
2014516746.tif 000002
【特許請求の範囲】
【請求項１】
ワイヤ（５）で直列接続された１乃至７番特注リンガルブラケットを備えており、各々の特注リンガルブラケットはベース（３）と、ベースに連結されているブラケット本体部（２）とを備えたアップライティング機能付き特注歯科矯正器具であって、前記１乃至７番の特注リンガルブラケットにおいて、少なくとも二つの特注リンガルブラケットのブラケット本体部（２の）下側には貫通孔（１１）を有する牽引フック（１）が設けられており、前記貫通孔（１１）はアップライティングワイヤ（４）に直列接続されているアップライティング機能付き特注歯科矯正器具。
【請求項２】
前記１乃至６番の特注リンガルブラケットの各々のブラケット本体部（２）上には前記牽引フック（１）が設けられており、前記７番の特注リンガルブラケットのブラケット本体部（２）上には孔のない牽引フック（１７）が設けられていることを特徴とする請求項１に記載のアップライティング機能付き特注歯科矯正器具。
【請求項３】
前記１乃至６番の特注リンガルブラケットのブラケット本体部（２）上には上部フラップ２１と、上部フラップ（２１）下方に位置するグルーブ（２２）とが設けられており、７号の特注リンガルブラケットのブラケット本体部（２）上には四角パイプ状のチャネル（２３）が設けられていることを特徴とする請求項２に記載のアップライティング機能付き特注歯科矯正器具。
【請求項４】
前記３番の特注リンガルブラケットのグルーブ（２２）の両側壁の高さがワイヤ（５）の高さ以上であることを特徴とする請求項３に記載のアップライティング機能付き特注歯科矯正器具。
【請求項５】
前記貫通孔（１１）の孔軸線が同一平面にあるとともに、連続した円弧状として連続可能であることを特徴とする請求項１乃至４の何れか一項に記載のアップライティング機能付き特注歯科矯正器具。
【請求項６】
前記アップライティングワイヤ（４）の断面が円形であり、前記貫通孔（１１）の直径がアップライティングワイヤ（４）の直径と一致していることを特徴とする請求項５に記載のアップライティング機能付き特注歯科矯正器具。
【請求項７】
前記３番の特注リンガルブラケットのブラケット本体部（２）の幅が１〜３ｍｍであり、かつ当該幅が１、２番の特注リンガルブラケットのブラケット本体部（２）の幅未満であることを特徴とする請求項６に記載のアップライティング機能付き特注歯科矯正器具。
【請求項８】
前記１乃至６番の特注リンガルブラケットの牽引フック（１）の長さが１〜３ｍｍであることを特徴とする請求項６に記載のアップライティング機能付き特注歯科矯正器具。
【発明の詳細な説明】
【技術分野】
【０００１】
本発明は歯科矯正用の特注歯科矯正器具に関する。
【背景技術】
【０００２】
特注歯科矯正器具はすでに多くの患者が使用するようになっており、この特注歯科矯正器具はワイヤで直列接続された一連の特注矯正リンガルブラケット（略称、リンガルブラケット）を備えており、各々のリンガルブラケットが人の口腔の各番号の歯に基づいて対応して製作され、異なる番号の歯には異なるリンガルブラケットが対応して配され、リンガルブラケットの構造には歯に密着するベースと、ベースと一体となっているリンガルブラケット本体とからなる。これら歯の分類は、中切歯（前歯）を１番とし、第二大臼歯を７番として順に番号が付されているものであるので、リンガルブラケットもまた１乃至７番に対応することになる。
【発明の概要】
【発明が解決しようとする課題】
【０００３】
歯科矯正治療の分野において、抜歯という病例があるが、つまり歯列の中の一つの歯が抜かれた後には、その残りの歯は新たに位置調整、隙間の埋め合わせを行う必要がある。唇側矯正または舌側矯正にかかわらず、抜歯の病例の後には、犬歯（３番）は遠心移動の過程で傾斜してしまう不具合が発生しやすい。そして矯正治療の手法は、３番歯の歯冠が矯正治療力の作用を受け、傾斜移動が生じたとき、歯根もまた対応して全体移動することで、隣の歯に接触させて、抜歯により生じた隙間を閉じるというものである。このような矯正治療の手法はアップライティングと呼ばれている。もし唇側矯正であるときには、一般的にダブルグルーブシステムまたはアップライティング・リングなどでアップライティング機能を実現する。しかし舌側矯正においては、ブラケット本体部は薄く傾斜しており、しかも一般的には小臼歯の隆起は犬歯よりも高いため、小臼歯と犬歯との間に湾曲が生じて、ダブルグルーブシステムおよびアップライティング・リングなどは使用できない。これまで、特注歯科矯正器具はアップライティング機能を備えていなかった。
【０００４】
本発明の目的は、アップライティング機能付き特注歯科矯正器具を提供するものである。
【課題を解決するための手段】
【０００５】
本発明がその技術的課題を解決するための解決手法は以下のとおりである。
【０００６】
ワイヤで直列接続された１乃至７番特注リンガルブラケットを備えており、各々の特注リンガルブラケットはベースと、ベースに連結されているブラケット本体部とを備えたアップライティング機能付き特注歯科矯正器具であって、上記１乃至７番の特注リンガルブラケットにおいて、少なくとも二つの特注リンガルブラケットのブラケット本体部の下側には貫通孔を有する牽引フックが設けられており、上記貫通孔はアップライティングワイヤに直列接続されている。
【０００７】
上記技術的思想のさらなる改善として、上記１乃至６番の特注リンガルブラケットの各々のブラケット本体部上には上記牽引フックが設けられており、上記７番の特注リンガルブラケットのブラケット本体部上には孔のない牽引フックが設けられている。
【０００８】
上記技術的思想のさらなる改善として、上記１乃至６番の特注リンガルブラケットのブラケット本体部上には上部フラップと、上部フラップ下方に位置するグルーブとが設けられており、７号の特注リンガルブラケットのブラケット本体部上には四角パイプ状のチャネルが設けられている。
【０００９】
上記技術的思想のさらなる改善として、上記３番の特注リンガルブラケットのグルーブの両側壁の高さがワイヤの高さ以上である。
【００１０】
上記技術的思想のさらなる改善として、上記貫通孔の孔軸線が同一平面にあるとともに、連続した円弧状として連続可能である。
【００１１】
上記技術的思想のさらなる改善として、上記アップライティングワイヤの断面が円形であり、上記貫通孔の直径がアップライティングワイヤの直径と一致している。
【００１２】
上記技術的思想のさらなる改善として、上記３番の特注リンガルブラケットのブラケット本体部の幅が１〜３ｍｍであり、かつ当該幅が１、２番の特注リンガルブラケットのブラケット本体部の幅未満である。
【００１３】
上記技術的思想のさらなる改善として、上記１乃至６番の特注リンガルブラケットの牽引フックの長さが１〜３ｍｍである。
【発明の効果】
【００１４】
本発明の有益な効果は次のとおりである。本発明はブラケット本体部の下側には、貫通孔を有している牽引フックが設けられるとともに、アップライティングワイヤが上記貫通孔を挿入されることで、矯正過程において、歯冠移動と同時に、ブラケット本体部の下側は対応する矯正力も発生し、歯根位置も徐々に補正され、歯の遠心移動の過程で傾斜することはなくなるので、アップライティング機能を備える。本発明は構造が簡単で巧妙であり、アップライティング効果に優れ、歯科の特注歯科矯正器具の抜歯病例に適用される。
【図面の簡単な説明】
【００１５】
【図１】本発明を抜歯病例の歯に装着した後の使用状態図であり、右から左に順次１番歯、２番歯、３番歯、５番歯および６番歯である（４、７番歯は図示していない）。
【図２】本発明の３番の特注リンガルブラケットの構造模式図。
【図３】本発明の１、２号の特注リンガルブラケットの構造模式図。
【図４】本発明の７番の特注リンガルブラケットの構造模式図。
【図５】ワイヤの通常結着方式の模式図。
【図６】ワイヤの折り返し結着方式の模式図。
【発明を実施するための形態】
【００１６】
以下にて図面と実施例とを合せて本発明を詳細に説明する。
【００１７】
図１〜図４を参照する。ワイヤ５で直列接続された１乃至７番特注リンガルブラケットを備えており、各々の特注リンガルブラケットはベース３と、ベースに連結されているブラケット本体部２とを備えたアップライティング機能付き特注歯科矯正器具であって、上記１乃至７番の特注リンガルブラケットにおいて、少なくとも二つの特注リンガルブラケットのブラケット本体部２の下側には貫通孔１１を有する牽引フック１が設けられており、上記貫通孔１１はアップライティングワイヤ４に直列接続されている。具体的には、上記ブラケット本体部２はベース３と一体となっており、上記アップライティングワイヤ４は０．０１２〜０．０１８インチのニッケル・チタン円形ワイヤまたはステンレス円形ワイヤであって、当然のことだがアップライティングワイヤ４はその他断面形状を採用してもよいが、円形を採用した方がよい。
【００１８】
さらに好ましい実施形態では、上記１乃至６番の特注リンガルブラケットの各々のブラケット本体部２上には上記牽引フック１が設けられており、上記７番の特注リンガルブラケットのブラケット本体部２上には孔のない牽引フック１７が設けられている。ところで、７番歯の位置にはアップライティングワイヤ４を使用しなくてもよいということに注意されたい。これは６番歯の位置のブラケットは近心方向に牽引フック１を有しており、そして遠心方向（７番歯の位置方向）に下部フラップを有していることで、アップライティングワイヤ４に押し当てて引き続き７番歯の方向に延伸するからである。よって７番歯の位置のブラケット構造は従来の特注リンガルブラケットの構造を援用して、孔のない牽引フック１７を用いるだけでよい。
【００１９】
さらに好ましい実施形態では、上記１乃至６番の特注リンガルブラケットのブラケット本体部２上には上部フラップ２１と、上部フラップ２１下方に位置するグルーブ２２とが設けられており、７号の特注リンガルブラケットのブラケット本体部２上には四角パイプ状のチャネル２３が設けられている。ワイヤ５をグルーブ２２内に嵌入し、最後に四角パイプ状のチャネル２３から挿通するとともに結着固定する。
【００２０】
さらに好ましい実施形態では、上記３番の特注リンガルブラケットのグルーブ２２の両側壁の高さがワイヤ５の高さ以上である。
【００２１】
ここで言うところのグルーブ２２の両側壁の高さがワイヤ５の高さよりも高いというのは、全矯正治療中にて交換される何れかの回のワイヤ５の高さよりも高いということである（通常は最後に交換されるワイヤ５のことである）。矯正治療過程において、治療の進捗に伴って、適時太さの異なるワイヤ５に交換するとともに、当該ワイヤ５の高さが徐々に高くなっていき、最後に交換するワイヤ５の高さが最も高くなるわけだが、３番の特注リンガルブラケットのグルーブ２２の両側壁の高さを最後のワイヤ５の高さよりも高くすることで、全矯正治療中にて、グルーブ２２の上方に空間を残し、何れかの回のワイヤ５をグルーブ２２内に嵌入して、３番歯を矯正する。
【００２２】
さらに好ましい実施形態では、上記貫通孔１１の孔軸線が同一平面にあるとともに、連続した円弧状として連続可能である。このような位置に設置するのは、アップライティングワイヤ４が全ての貫通孔１１を貫通しやすくするためである。
【００２３】
さらに好ましい実施形態では、上記３番の特注リンガルブラケットのブラケット本体部２の幅が１〜３ｍｍであり、かつ当該幅が１、２番の特注リンガルブラケットのブラケット本体部２の幅未満である。
【００２４】
さらに好ましい実施形態では、上記１乃至６番の特注リンガルブラケットの牽引フック１の長さが１〜３ｍｍである。
【００２５】
具体的には、各ブラケットのグルーブ２２の位置および貫通孔１１の位置は設計ソフトウェアで正確に位置決めするとともに、ソフトウェアにてベース３の三次元ＣＡＤモデルと一体の三次元ＣＡＤモデルとして組み合わせて、さらに高速成型技術にて実体のリンガルブラケットを製造する。アップライティングワイヤ４は設計過程において牽引フック１の貫通孔１１の位置に基づいて、ソフトウェア内で導き出されたデータに基づいて湾曲させることができ、湾曲の方式は人工湾曲でも機械湾曲でもよい。
【００２６】
矯正治療の初期では、グルーブ２２および貫通孔１１内には対応するワイヤ５およびアップライティングワイヤ４が設けられ、３番の特注リンガルブラケット、つまり犬歯の位置では、グルーブ２２の幅が狭く、しかもグルーブ２２の高さはワイヤ５よりも高く通常の結着方式を採用することで（図５を参照）、結着ワイヤがワイヤ５に接触するのを防止できるので、歯を速やかに傾斜移動させやすくするために、すべりに対するセルフロック効果を提供する。牽引フック１内に配置されているアップライティングワイヤ４は隣接する二つの歯の位置に回転力を付与し、効果的にアップライティングができるようにしている。アップライティング以降は折り返し結着方式を採用して（図６を参照）犬歯のワイヤ５とグルーブ２２とを全寸法で係合して正確な位置調整効果を達成する。
【００２７】
また、本発明ではＣＡＤソフトウェアで設計を行うものであって、設計過程においてグルーブ２２および牽引フック１における貫通孔１１の位置をソフトウェアで正確に調節しており、設計が完成した特注リンガルブラケットは高速成型技術で製造することで、高速で、しかもかなり正確になる。同時にグルーブ２２および貫通孔１１の位置はソフトウェアで対応するデータを導き出すことができるので、ワイヤ５およびアップライティングワイヤ４を正確に湾曲できる。このように得られた矯正器具はワイヤ５がグルーブ２２に正確にマッチングするのみならず、アップライティングワイヤ４もまた貫通孔１１に正確に対応させることができるので、正確な矯正治療、アップライティングの効果を達成することができる。
【００２８】
以上は、本発明の好ましい実施形態に対する具体的な説明であるが、本発明は上記実施例に限定するものではなく、当業者であれば本発明の技術的思想に反することがない前提で各種の同等の変形または置換を行うことができるものであって、これら同等の変形または置換はいずれも本発明の特許請求の範囲内に含まれる。
【符号の説明】
【００２９】
１：牽引フック
２：ブラケット本体部
３：ベース
４：アップライティングワイヤ
５：ワイヤ
１１：貫通孔
１７：孔のない牽引フック
２１：上部フラップ
２２：グルーブ
２３：四角パイプ状のチャネル
【図１】
2014516746.tif 000003
【図２】
2014516746.tif 000004
【図３】
2014516746.tif 000005
【図４】
2014516746.tif 000006
【図５】
2014516746.tif 000007
【図６】
2014516746.tif 000008
【国際調査報告】
2014516746.tif 000009
2014516746.tif 000010
2014516746.tif 000011
2014516746.tif 000012
2014516746.tif 000013
2014516746.tif 000014
2014516746.tif 000015
2014516746.tif 000016